(57)【要約】【課題】  制御データが重畳された信号から検出されるデータのエラーが低減された伝送装置、伝送システム、及びデータ検出方法を提供する。【解決手段】  伝送装置は、第１データと前記第１データに重畳された第２データとを含む信号を分岐する分岐部と、前記分岐部により分岐された前記信号の１つを増幅するリミッティングアンプと、前記分岐部により分岐された前記信号の他の１つを増幅するリニアアンプと、前記リミッティングアンプにより増幅された前記信号から前記第１データを検出する第１検出部と、前記リニアアンプにより増幅された前記信号と前記リミッティングアンプにより増幅された前記信号から前記第２データを検出する第２検出部とを有する。【選択図】図４
2018046374.tif 000002
【特許請求の範囲】
【請求項１】
第１データと前記第１データに重畳された第２データとを含む信号を分岐する分岐部と、
前記分岐部により分岐された前記信号の１つを増幅するリミッティングアンプと、
前記分岐部により分岐された前記信号の他の１つを増幅するリニアアンプと、
前記リミッティングアンプにより増幅された前記信号から前記第１データを検出する第１検出部と、
前記リニアアンプにより増幅された前記信号と前記リミッティングアンプにより増幅された前記信号から前記第２データを検出する第２検出部とを有することを特徴とする伝送装置。
【請求項２】
前記第１検出部は、前記リミッティングアンプにより増幅された前記信号のレベルを所定の閾値と比較することにより前記第１データを検出することを特徴とする請求項１に記載の伝送装置。
【請求項３】
前記分岐部はカレントミラー回路であることを特徴とする請求項１または２に記載の伝送装置。
【請求項４】
前記分岐部は光スプリッタであることを特徴とする請求項１または２に記載の伝送装置。
【請求項５】
第１データと前記第１データに重畳された第２データとを含む信号を送信する第１伝送装置と、
前記第１伝送装置から前記信号を受信する第２伝送装置とを有し、
前記第２伝送装置は、
前記信号を分岐する分岐部と、
前記分岐部により分岐された前記信号の１つを増幅するリミッティングアンプと、
前記分岐部により分岐された前記信号の他の１つを増幅するリニアアンプと、
前記リミッティングアンプにより増幅された前記信号から前記第１データを検出する第１検出部と、
前記リニアアンプにより増幅された前記信号と前記リミッティングアンプにより増幅された前記信号から前記第２データを検出する第２検出部とを有することを特徴とする伝送システム。
【請求項６】
第１データと前記第１データに重畳された第２データとを含む信号を分岐し、
該分岐された前記信号の１つをリミッティングアンプにより増幅し、
前記分岐された前記信号の他の１つをリニアアンプにより増幅し、
前記リミッティングアンプにより増幅された前記信号から前記第１データを検出し、
前記リニアアンプにより増幅された前記信号と前記リミッティングアンプにより増幅された前記信号から前記第２データを検出することを特徴とするデータ検出方法。
【発明の詳細な説明】
【技術分野】
【０００１】
本件は、伝送装置、伝送システム、及びデータ検出方法に関する。
【背景技術】
【０００２】
スマートフォンなどの無線通信端末の普及に伴い、例えば無線基地局と収容局の間のトラフィックが増加しているため、メトロアクセス系ネットワークにＤＷＤＭ（Dense Wavelength Divisional Multiplexing ）の伝送技術の適用が検討されている。このようなネットワークでは、例えば、センタ（基幹網）側の伝送装置とエンドユーザ側の複数の伝送装置が、複数の波長の光信号を多重分離するＡＷＧ（Arrayed Waveguide Grating）を介して互いに接続され、ＰＯＮ（Passive Optical Network）のようなスター型ネットワークを構成する。なお、以降ではセンタ側の伝送装置を「センタ側装置」と表記し、エンドユーザ側の伝送装置を「ユーザ側装置」と表記する。
【０００３】
各ユーザ側装置には、例えば、ユーザ側装置ごとに異なる波長の光信号を送信可能とし、かつ各ユーザ側装置の間の汎用性が確保されるように、波長可変光源が設けられる。センタ側装置は、ユーザ側装置ごとに波長可変光源の波長を設定するため、各加入者装置に送信する主信号に波長設定用の制御データを重畳する。信号の重畳に関し、例えば特許文献１には光信号に監視データを重畳する点が記載されている。
【先行技術文献】
【特許文献】
【０００４】
【特許文献１】特開平５−２４４０４６号公報
【発明の概要】
【発明が解決しようとする課題】
【０００５】
しかし、特許文献１に記載された技術によると、監視データが重畳された主信号は、監視信号分だけパルスの振幅が増加することによりアイパタンが劣化するため、主信号のデータを検出するときにエラーが生ずるおそれがある。
【０００６】
そこで、本件は、制御データが重畳された信号から検出されるデータのエラーが低減された伝送装置、伝送システム、及びデータ検出方法を提供することを目的とする。
【課題を解決するための手段】
【０００７】
１つの態様では、伝送装置は、第１データと前記第１データに重畳された第２データとを含む信号を分岐する分岐部と、前記分岐部により分岐された前記信号の１つを増幅するリミッティングアンプと、前記分岐部により分岐された前記信号の他の１つを増幅するリニアアンプと、前記リミッティングアンプにより増幅された前記信号から前記第１データを検出する第１検出部と、前記リニアアンプにより増幅された前記信号と前記リミッティングアンプにより増幅された前記信号から前記第２データを検出する第２検出部とを有する。
【０００８】
１つの態様では、伝送システムは、第１データと前記第１データに重畳された第２データとを含む信号を送信する第１伝送装置と、前記第１伝送装置から前記信号を受信する第２伝送装置とを有し、前記第２伝送装置は、前記信号を分岐する分岐部と、前記分岐部により分岐された前記信号の１つを増幅するリミッティングアンプと、前記分岐部により分岐された前記信号の他の１つを増幅するリニアアンプと、前記リミッティングアンプにより増幅された前記信号から前記第１データを検出する第１検出部と、前記リニアアンプにより増幅された前記信号と前記リミッティングアンプにより増幅された前記信号から前記第２データを検出する第２検出部とを有する。
【０００９】
１つの態様では、データ検出方法は、第１データと前記第１データに重畳された第２データとを含む信号を分岐し、該分岐された前記信号の１つをリミッティングアンプにより増幅し、前記分岐された前記信号の他の１つをリニアアンプにより増幅し、前記リミッティングアンプにより増幅された前記信号から前記第１データを検出し、前記リニアアンプにより増幅された前記信号と前記リミッティングアンプにより増幅された前記信号から前記第２データを検出する方法である。
【発明の効果】
【００１０】
１つの側面として、制御データが重畳された信号から検出されるデータのエラーを低減することができる。
【図面の簡単な説明】
【００１１】
【図１】伝送システムの一例を示す構成図である。
【図２】比較例の受信部を示す構成図である。
【図３】理想的なデータ信号のアイパタンの一例を示す図である。
【図４】実施例の受信部を示す構成図である。
【図５】データ検出方法の一例を示すフローチャートである。
【図６】他の実施例の受信部を示す構成図である。
【図７】データ検出方法の他例を示すフローチャートである。
【発明を実施するための形態】
【００１２】
図１は、伝送システムの一例を示す構成図である。伝送システムは、センタ側装置２と、ｎ台（ｎ：１以上の整数）のユーザ側装置（＃１〜＃ｎ）１と、光多重分離装置３とを有する。センタ側装置２と各ユーザ側装置１は、光ファイバの伝送路９、及び伝送路９の途中に接続された光多重分離装置３を介して互いに接続されている。なお、センタ側装置２は第１伝送装置の一例であり、また、ユーザ側装置１は、実施例の伝送装置であるとともに、第２伝送装置の一例である。
【００１３】
センタ側装置２は、例えば上流側の基幹ネットワーク（基幹ＮＷ）に接続されており、基幹ネットワークから受信した信号をユーザ側装置１に送信し、ユーザ側装置１から受信した信号を基幹ネットワークに送信する。ユーザ側装置１は、例えば下流側のユーザネットワーク（ユーザＮＷ）に接続されており、ユーザネットワークから受信した信号をセンタ側装置２に送信し、センタ側装置２から受信した信号をユーザネットワークに送信する。
【００１４】
センタ側装置２は、制御部２０と、送信処理部２１と、ｎ個の送信ポートＰｓ１〜Ｐｓｎと、ＡＷＧ２２と、受信処理部２３と、ｎ個の受信ポートＰｒ１〜Ｐｒｎと、ＡＷＧ２４と、ＷＤＭカプラ２５とを有する。制御部２０は、例えばＣＰＵ（Central Processing Unit）回路などにより構成され、送信処理部２１と受信処理部２３を制御する。
【００１５】
送信処理部２１は、例えばＦＰＧＡ（Field Programmable Gate Array）などの論理回路により構成され、基幹ネットワークから受信した信号を、その宛先に応じた送信ポートＰｓ１〜Ｐｓｎに出力する。宛先と送信ポートＰｓ１〜Ｐｓｎの対応関係は、例えば送信処理部２１内のメモリなどに制御部２０から登録される。
【００１６】
送信ポートＰｓ１〜Ｐｓｎは、それぞれ、ユーザ側装置（＃１〜＃ｎ）１宛ての信号をＡＷＧ２２に出力する。送信ポートＰｓ１〜Ｐｓｎは、互いに異なる波長の光を出力するＬＤ（Laser Diode）、及びＬＤから出力された光を送信処理部２１からの信号に基づき光変調する光変調器を有する。このため、信号は、送信ポートＰｓ１〜Ｐｓｎにより電気信号から光信号に変換されてＡＷＧ２２に出力される。
【００１７】
ＡＷＧ２２は、各送信ポートＰｓ１〜Ｐｓｎから入力された信号を波長多重して波長多重光信号とし、ＷＤＭカプラ２５に出力する。ＷＤＭカプラ２５は、ＡＷＧ２２から入力された波長多重光信号を伝送路９に導き、ユーザ側装置１から伝送路９を介し入力された波長多重光信号をＡＷＧ２４に導く。
【００１８】
なお、センタ側装置２から各ユーザ側装置１に向かう下り方向の各信号の波長には、例えばＩＴＵ−Ｔ（International Telecommunication Union Telecommunication Standardization Sector）で規定されるＬ（Long）バンドが用いられる。一方、各ユーザ側装置１からセンタ側装置２に向かう上り方向の各信号の波長には、例えばＩＴＵ−Ｔで規定されるＣ（Conventional）バンドが用いられる。
【００１９】
ＡＷＧ２４は、ＷＤＭカプラ２５から入力された波長多重光信号を波長ごとの光信号に分離して、各波長に対応する受信ポートＰｒ１〜Ｐｒｎに出力する。受信ポートＰｒ１〜Ｐｒｎは、互いに異なる波長の光信号を受信する。受信ポートＰｒ１〜Ｐｒｎは、例えばＰＤ（Photo Detector）を有し、光信号を電気信号に変換して受信処理部２３に出力する。受信処理部２３は、例えばＦＰＧＡなどの論理回路により構成され、受信ポートＰｒ１〜Ｐｒｎから入力された信号を基幹ネットワークに送信する。
【００２０】
光多重分離装置３は、例えばＡＷＧにより構成され、ユーザ側装置（＃１〜＃ｎ）１にそれぞれ接続されるポートｐ１〜ｐｎを有する。光多重分離装置３は、各ユーザ側装置１から各ポートｐ１〜ｐｎに入力された光信号を波長多重して上り方向の波長多重光信号とし、センタ側装置２に送信する。また、光多重分離装置３は、センタ側装置２から入力された下り方向の波長多重光信号を波長ごとの光信号に分離して、波長に応じたポートｐ１〜ｐｎからユーザ側装置１に送信する。
【００２１】
ユーザ側装置１は、制御部１０と、送信部１１と、レーザダイオード（ＬＤ）１２、光変調器１３と、受信部１４と、ＷＤＭカプラ１５とを有する。送信部１１は、例えばＦＰＧＡなどの論理回路により構成され、ユーザネットワークから受信した信号を光変調器１３に出力する。ＬＤ１２は、出力する光の波長が可変（つまり波長可変光源）であり、制御部１０から設定された波長の光を光変調器１３に出力する。光変調器１３は、ＬＤ１２から入力された光を、送信部１１から入力された信号に基づき変調することにより光信号を生成してＷＤＭカプラ１５に出力する。
【００２２】
ＷＤＭカプラ１５は、光変調器１３から入力された光信号を伝送路９に導き、センタ側装置２から伝送路９を介して入力された光信号を受信部１４に導く。受信部１４は、センタ側装置２からの光信号を受信する。なお、受信部１４の構成については後述する。
【００２３】
各ユーザ側装置１が送信した上り方向の信号は、光多重分離装置３により波長多重されるため、ユーザ側装置１ごとに波長が異なる。このため、センタ側装置２は、各ユーザ側装置１のＬＤ１２に所定の波長が設定されるように、波長設定用の制御信号を下り方向の主信号に重畳してユーザ側装置１に送信する。制御信号の伝送速度は主信号の伝送速度より低く、例えば、主信号が１０（Gbps）で伝送されるのに対し、制御信号は１００（Kbps）で伝送される。なお、主信号及び制御信号のフォーマットとしては、例えばイーサネット（登録商標）フレームが挙げられるが、これに限定されない。
【００２４】
より具体的には、下り方向の信号には、基幹ネットワークから入力された主信号データと、主信号データに重畳された波長設定用の制御データとが含まれる。主信号データは第１データの一例であり、制御データは第２データの一例である。センタ側装置２において、制御部２０は、主信号に対する重畳信号として、波長設定用の制御データを生成して送信処理部２１に出力する。送信処理部２１は、基幹ネットワークから受信した主信号のデータに制御データを重畳することにより信号を生成し、送信ポートＰｓ１〜Ｐｓｎから送信する。
【００２５】
このとき、送信処理部２１は、下り方向の信号のパルスの振幅を増加させることにより制御データを重畳する。このため、下り方向の信号のパルスの振幅は、主信号データに制御データが重畳されている領域において、重畳のない領域と比べると制御データの分だけ大きい。
【００２６】
各ユーザ側装置１において、受信部１４は下り方向の信号から主信号データ及び制御データを検出する。受信部１４は、主信号データから信号を生成してユーザネットワークに送信し、制御データを制御部１０に出力する。制御部１０は、例えばＣＰＵ回路により構成され、制御データに基づきＬＤ１２に対して出力光の波長を設定する。以下に受信部１４の構成について述べる。
【００２７】
図２は、比較例の受信部１４を示す構成図である。図２において、符号Ｇ１〜Ｇ５は、受信部１４内の各部における信号波形の一例を示す。受信部１４は、ＰＤ４０と、リニアアンプ４１と、主信号データ検出部４２と、ローパスフィルタ４３，４４と、比較回路４５と、制御データ検出部４６とを有する。
【００２８】
ＰＤ４０は、ＷＤＭカプラ１５から入力された下り方向の光信号を電気信号に変換して、データ信号としてリニアアンプ４１に出力する。リニアアンプ４１は、線形的な増幅特性に従いデータ信号を増幅する。データ信号は、信号の一例であり、２つに分岐した経路に伝送されて主信号データ検出部４２とローパスフィルタ４４に入力される。
【００２９】
符号Ｇ１は、リニアアンプ４１から主信号データ検出部４２及びローパスフィルタ４４に出力されるデータ信号の波形の一例を示す。データ信号は、デジタル信号であり、主信号データの値「０」または「１」（２進数）を示すビット列である。ビット列の一部には、符号Ｐ１で示されるように、制御データが重畳されている。制御データが重畳された部分のパルスの振幅は他部分より大きくなる。なお、符号Ｐ２は、多数のデータ値「１」が連続するビット密度の高い領域を示す。
【００３０】
主信号データ検出部４２は、例えばＦＰＧＡなどの論理回路により構成され、データ信号のレベルを所定の閾値ＴＨと比較することによりデータ信号から主信号データを検出する。より具体的には、主信号データ検出部４２は、データ信号の電圧が閾値ＴＨ以上である部分のデータ値を「１」と判定し、データ信号の電圧が閾値ＴＨより小さい部分のデータ値を「０」と判定する。閾値ＴＨは、例えば理想的なデータ信号のアイパタンを基準として決定される。
【００３１】
図３は、理想的なデータ信号のアイパタンの一例を示す図である。アイパタンは、データ信号の電圧をサンプリングして得られる波形であり、データ信号の品質を示す指標である。
【００３２】
閾値ＴＨはデータ値「０」，「１」の電圧の密度分布に基づき決定される。より具体的には、例えばデータ値「０」，「１」の最も高い密度に相当する電圧ＶＨ，ＶＬの中心値が閾値ＴＨに決定される。このため、データ値「０」，「１」の電圧の密度分布が広がるほど、アイパタンが劣化しデータエラーが増加する。
【００３３】
再び図２を参照すると、符号Ｇ２は、主信号データ検出部４２における閾値ＴＨに基づくデータ値の判定の様子の一例を示す。リニアアンプ４１から主信号データ検出部４２に入力されたデータ信号には制御データが含まれているため、データ値「１」の密度分布が、上記の理想的なデータ信号の場合より広くなっている。このため、データ信号のアイパタンが劣化しており、主信号データ検出部４２においてデータエラーが発生し得る。主信号データ検出部４２から出力されたデータ信号は、不図示の後段の処理部とローパスフィルタ４３に入力される。
【００３４】
また、ローパスフィルタ４４は、リニアアンプ４１から入力されたデータ信号をフィルタリングする。ローパスフィルタ４４は、データ信号を平滑化して比較回路４５に出力する。
【００３５】
符号Ｇ４は、ローパスフィルタ４４から比較回路４５に出力されるデータ信号の波形の一例を示す。点線は、ローパスフィルタ４４によるフィルタリング前のデータ信号の波形を示す。
【００３６】
制御データが重畳されたデータ信号の領域（符号Ｐ１参照）は、符号Ｐ３で示されるように、フィルタリングにより山型の波形となる。また、ビット密度が高いデータ信号の領域（符号Ｐ２参照）は、符号間干渉のため、符号Ｐ４で示されるように、制御データがないにも関わらず、フィルタリングにより山型の波形となる。
【００３７】
比較回路４５は、この山型の波形の部分を、他方のローパスフィルタ４３から入力されるデータ信号の波形との比較により除去する。ローパスフィルタ４３は、主信号データ検出部４２から入力されたデータ信号をフィルタリングする。ローパスフィルタ４３は、データ信号を平滑化して比較回路４５に出力する。
【００３８】
符号Ｇ３は、ローパスフィルタ４３から比較回路４５に出力されるデータ信号の波形の一例を示す。点線は、ローパスフィルタ４３によるフィルタリング前のデータ信号の波形、つまりデータ値の判定後のデータ信号の波形を示す。
【００３９】
主信号データ検出部４２は、データ値の判定済みのデータ信号を出力するため、その出力波形には、制御データが含まれていない。しかし、上述したように、ビット密度が高いデータ信号の領域（符号Ｐ２参照）は、符号間干渉のため、符号Ｐ５で示されるように、フィルタリングにより山型の波形となる。
【００４０】
比較回路４５は、２つのローパスフィルタ４３，４４から入力された各データ信号の波形を比較する。より具体的には、比較回路４５は、符号Ｇ３の波形と符号Ｇ４の波形を比較し、符号Ｐ４，Ｐ５で示される共通の山型の波形領域を検出して除去する。これにより、制御データを正常に検出することが可能となる。比較回路４５は、比較結果として生成したデータ信号を制御データ検出部４６に出力する。
【００４１】
符号Ｇ５は、比較回路４５から制御データ検出部４６に出力されるデータ信号の波形の一例を示す。点線は、符号Ｇ１で示されるデータ信号の波形を示す。データ信号は、符号Ｇ４の波形と比較すると理解されるように、比較回路４５の比較処理により山型の波形領域Ｐ４が除去されている。
【００４２】
制御データ検出部４６は、例えばＦＰＧＡなどの論理回路により構成され、データ信号から制御データを検出する。制御データ検出部４６は、例えば、符号Ｇ５の示す波形から山型の波形領域を検出することにより制御データを検出する。制御データ検出部４６は、制御データを制御部１０に出力する。
【００４３】
上述したように、主信号データ検出部４２は、制御データが重畳されたまま主信号データを検出するため、データ信号のアイパタンが劣化によりデータエラーを生ずることが有る。このため、実施例の受信部１４は、主信号データを検出する前にデータ信号をリミッティングアンプにより増幅することにより、データ信号から制御データを除去することによりアイパタンの劣化を防止してデータエラーを低減する。
【００４４】
図４は、実施例の受信部１４を示す構成図である。図４において、図２と共通する構成には同一の符号を付し、その説明を省略する。また、図４において、符号Ｇ１１ａ，Ｇ１１ｂ，Ｇ１２ａ，Ｇ１２ｂ，Ｇ１３，Ｇ３〜Ｇ５は、受信部１４内の各部における信号波形の一例を示す。
【００４５】
受信部１４は、ＰＤ４０と、カレントミラー回路５０と、リニアアンプ４１と、リミッティングアンプ５１と、主信号データ検出部５２と、ローパスフィルタ４３，４４と、比較回路４５と、制御データ検出部４６とを有する。カレントミラー回路５０は、分岐部の一例であり、ＰＤ４０から入力されたデータ信号を分岐する。なお、データ信号の分岐手段としては、カレントミラー回路５０に限定されず、電気スプリッタなどの他の電気的な分岐手段を用いてもよい。
【００４６】
カレントミラー回路５０は、データ信号を複製してリミッティングアンプ５１及びリニアアンプ４１に出力する。符号Ｇ１１ａは、カレントミラー回路５０からリミッティングアンプ５１に入力されるデータ信号の波形を示し、符号Ｇ１１ｂは、カレントミラー回路５０からリニアアンプ４１に入力されるデータ信号の波形を示す。
【００４７】
リミッティングアンプ５１及びリニアアンプ４１には同一波形のデータ信号が入力される。リミッティングアンプ５１は、カレントミラー回路５０により分岐されたデータ信号の一方を増幅し、リニアアンプ４１は、カレントミラー回路５０により分岐されたデータ信号の他方を増幅する。リミッティングアンプ５１から出力されたデータ信号は主信号データの検出に用いられ、リニアアンプ４１から出力されたデータ信号は制御データの検出に用いられる。なお、カレントミラー回路５０について、リミッティングアンプ５１及びリニアアンプ４１に対するデータ信号の分岐比に限定はない。
【００４８】
リミッティングアンプ５１は、所定の上限値を超えない範囲内でデータ信号を増幅する。つまり、リミッティングアンプ５１は、データ信号を増幅し、増幅後のレベルが上限値を超える成分をデータ信号から除去する。このため、上限値が適切な値に設定されれば、リミッティングアンプ５１は、データ信号を増幅することによりデータ信号から制御データを除去することができる。
【００４９】
符号Ｇ１２ａは、リミッティングアンプ５１から出力されたデータ信号の波形の一例を示す。リミッティングアンプ５１は、データ信号から上限値Ｌより高い電圧の領域（点線参照）を除去する。上限値Ｌは、例えば主信号データのデータ値「１」に対応する電圧の密度分布が最も高い電圧に設定される。つまり、上限値Ｌは、主信号データのデータ値「１」に応じた電圧とする。
【００５０】
主信号データに重畳された制御データの電圧は上限値Ｌを超えるため、リミッティングアンプ５１の増幅により除去される。このため、主信号データのデータ値「１」に対応する電圧の密度分布の範囲は、図２に示された符号Ｇ２の波形と比べると狭くなっており、アイパタンが改善される。リミッティングアンプ５１から出力されたデータ信号は主信号データ検出部５２に入力される。
【００５１】
主信号データ検出部５２は、第１検出部の一例であり、リミッティングアンプ５１により増幅されたデータ信号から主信号データを検出する。データ信号には制御データが含まれていないため、そのアイパタンは比較例の場合より改善される。したがって、主信号データ検出部５２は、比較例の主信号データ検出部４２よりデータエラーが少なくなる。
【００５２】
符号Ｇ１３は、主信号データ検出部５２における閾値ＴＨに基づくデータ値の判定の様子の一例を示す。主信号データ検出部５２は、データ信号のレベルを所定の閾値ＴＨと比較することにより主信号データを検出する。このため、アイパタンはリミッティングアンプ５１により改善されているため、主信号データ検出部５２は高精度にデータ値を判定することができる。
【００５３】
また、リミッティングアンプ５１から出力されたデータ信号は、ローパスフィルタ４３にも入力される。ローパスフィルタ４３は、データ信号をフィルタリングして比較回路４５に出力する。なお、ローパスフィルタ４３には、リミッティングアンプ５１に代えて、主信号データ検出部５２から出力されたデータ信号が入力されてもよい。
【００５４】
また、リニアアンプ４１は、線形的な増幅特性に従いデータ信号を増幅して他方のローパスフィルタ４４に出力する。符号Ｇ１２ｂは、ローパスフィルタ４４により増幅されたデータ信号の波形を示す。ローパスフィルタ４４には、リニアアンプ４１から出力されたデータ信号が入力される。ローパスフィルタ４４は、データ信号をフィルタリングして比較回路４５に出力する。比較回路４５は、比較結果として生成したデータ信号を制御データ検出部４６に出力する。
【００５５】
制御データ検出部４６は、比較回路４５から入力されたデータ信号から制御データを検出する。制御データ検出部４６は、例えば、符号Ｇ５の示す波形から山型の波形領域を検出することにより制御データを検出する。本例において、符号Ｇ５の波形は、リニアアンプ４１により増幅されたデータ信号とリミッティングアンプ５１により増幅されたデータ信号の比較から得られる。
【００５６】
つまり、制御データ検出部４６は、リニアアンプ４１により増幅されたデータ信号とリミッティングアンプ５１により増幅されたデータ信号から制御データを検出する。制御データ検出部４６は、制御データを制御部１０に出力する。なお、制御データ検出部４６は第２検出部の一例である。
【００５７】
このように、ユーザ側装置１は、カレントミラー回路５０により分岐した一方のデータ信号をリミッティングアンプ５１により増幅することで、重畳信号である制御データをデータ信号から除去し、主信号データ検出部５２により主信号データを検出する。また、ユーザ側装置１は、カレントミラー回路５０により分岐した他方のデータ信号をリニアアンプ４１により増幅し、制御データ検出部４６により制御データを検出する。したがって、実施例のユーザ側装置１によると、制御データが重畳されたデータ信号から検出する主信号データのエラーが低減される。
【００５８】
図５は、データ検出方法の一例を示すフローチャートである。本実施例のデータ検出方法は、図４に示された受信部１４により実行される。
【００５９】
まず、ＰＤ４０は光信号を光電変換する（ステップＳｔ１）。次に、カレントミラー回路５０はデータ信号を分岐する（ステップＳｔ２）。カレントミラー回路５０により分岐されたデータ信号の一方に対してはステップＳｔ３，Ｓｔ４の各処理が実行され、これらの処理と同時並行的に、データ信号の他方に対してはステップＳｔ５〜Ｓｔ７の各処理が実行される。
【００６０】
リニアアンプ４１はデータ信号の一方を増幅する（ステップＳｔ３）。次に、ローパスフィルタ４４は、リニアアンプ４１により増幅されたデータ信号をフィルタリングする（ステップＳｔ４）。
【００６１】
また、リミッティングアンプ５１はデータ信号の他方を増幅する（ステップＳｔ５）。これにより、データ信号から制御データが除去される。
【００６２】
次に、主信号データ検出部５２は、リミッティングアンプ５１により増幅されたデータ信号から主信号データを検出する（ステップＳｔ６）。このとき、データ信号には制御データが含まれていないため、データ信号のアイパタンは劣化しておらず、検出時のデータエラーが低減される。また、主信号データ検出部５２は、データ信号のレベルを所定の閾値ＴＨと比較することにより主信号データを検出する。このため、主信号データ検出部５２は、改善されたアイパタンによって高精度にデータを検出できる。
【００６３】
次に、ローパスフィルタ４３は、リミッティングアンプ５１により増幅されたデータ信号をフィルタリングする（ステップＳｔ７）。なお、ステップＳｔ７の処理はステップＳｔ６の処理より先に実行されてもよい。
【００６４】
次に、比較回路４５は、各ローパスフィルタ４３，４４から入力されたデータ信号同士を比較する（ステップＳｔ８）。これにより、データ信号から、符号間干渉により生ずる山型の波形領域（図２の符号Ｐ４参照）が除去される。
【００６５】
次に、制御データ検出部４６は、リニアアンプ４１により増幅されたデータ信号とリミッティングアンプ５１により増幅されたデータ信号から制御データを検出する（ステップＳｔ９）。このとき、データ信号には山型の波形領域が含まれていないため、正常に制御データが検出される。このようにして、データ検出方法は実行される。
【００６６】
上述した実施例において、データ信号はカレントミラー回路５０により電気的に分岐されたが、以下の実施例のように、例えば光スプリッタにより光学的に分岐されてもよい。
【００６７】
図６は、他の実施例の受信部１４を示す構成図である。図６において、図４と共通する構成には同一の符号を付し、その説明を省略する。
【００６８】
受信部１４は、光スプリッタ５３と、ＰＤ４０ａ，４０ｂと、リニアアンプ４１と、リミッティングアンプ５１と、主信号データ検出部５２と、ローパスフィルタ４３，４４と、比較回路４５と、制御データ検出部４６とを有する。光スプリッタ５３は、分岐部の他例であり、ＰＤ４０ａ，４０ｂにより光電変換される前のデータ信号、つまり光信号を分岐する。分岐された光信号の一方はＰＤ４０ａに入力され、分岐された光信号の他方はＰＤ４０ｂに入力される。
【００６９】
ＰＤ４０ａは、光スプリッタから入力された光信号を電気信号に変換して、データ信号としてリミッティングアンプ５１に出力する。また、ＰＤ４０ｂは、光スプリッタから入力された光信号を電気信号に変換して、データ信号としてリニアアンプ４１に出力する。なお、ＰＤ４０ｂは、主信号データより低速な制御データを検出するためのデータ信号を光電変換するため、他方のＰＤ４０ａより低い処理速度のものが用いられてもよい。
【００７０】
このように、本実施例において光スプリッタ５３は、カレントミラー回路５０に代わり、データ信号を光信号の段階で分岐する。このため、データ信号の分岐により生ずるノイズが、カレントミラー回路５０を分岐手段として用いた場合より抑制される。一方、図４の実施例のように、カレントミラー回路５０を分岐手段として用いた場合、２つのＰＤ４０ａ，４０ｂを用いる必要がないため、本実施例より回路規模を縮小することができる。
【００７１】
図７は、データ検出方法の他例を示すフローチャートである。本実施例のデータ検出方法は、図６に示された受信部１４により実行される。図７において、図５と共通する処理には同一の符号を付し、その説明を省略する。
【００７２】
まず、光スプリッタ５３は光信号を分岐する（ステップＳｔ１ａ）。光スプリッタ５３により分岐された光信号（データ信号）の一方に対してはステップＳｔ２ａ，Ｓｔ３，Ｓｔ４の各処理が実行され、これらの処理と同時並行的に、光信号（データ信号）の他方に対してはステップＳｔ２ｂ，Ｓｔ５〜Ｓｔ７の各処理が実行される。
【００７３】
ＰＤ４０ａは光信号の一方を光電変換する（ステップＳｔ２ａ）。その後、ＰＤ４０ａから出力されたデータ信号に対しステップＳｔ３，Ｓｔ４の各処理が実行される。
【００７４】
また、ＰＤ４０ｂは光信号の他方を光電変換する（ステップＳｔ２ｂ）。その後、ＰＤ４０ｂから出力されたデータ信号に対しステップＳｔ５〜Ｓｔ７の処理が実行される。このようにして、データ検出方法は実行される。
【００７５】
上述した実施形態は本発明の好適な実施の例である。但し、これに限定されるものではなく、本発明の要旨を逸脱しない範囲内において種々変形実施可能である。
【００７６】
なお、以上の説明に関して更に以下の付記を開示する。
（付記１）  第１データと前記第１データに重畳された第２データとを含む信号を分岐する分岐部と、
前記分岐部により分岐された前記信号の１つを増幅するリミッティングアンプと、
前記分岐部により分岐された前記信号の他の１つを増幅するリニアアンプと、
前記リミッティングアンプにより増幅された前記信号とから前記第１データを検出する第１検出部と、
前記リニアアンプにより増幅された前記信号と前記リミッティングアンプにより増幅された前記信号から前記第２データを検出する第２検出部とを有することを特徴とする伝送装置。
（付記２）  前記第１検出部は、前記リミッティングアンプにより増幅された前記信号のレベルを所定の閾値と比較することにより前記第１データを検出することを特徴とする付記１に記載の伝送装置。
（付記３）  前記分岐部はカレントミラー回路であることを特徴とする付記１または２に記載の伝送装置。
（付記４）  前記分岐部は光スプリッタであることを特徴とする付記１または２に記載の伝送装置。
（付記５）  第１データと前記第１データに重畳された第２データとを含む信号を送信する第１伝送装置と、
前記第１伝送装置から前記信号を受信する第２伝送装置とを有し、
前記第２伝送装置は、
前記信号を分岐する分岐部と、
前記分岐部により分岐された前記信号の１つを増幅するリミッティングアンプと、
前記分岐部により分岐された前記信号の他の１つを増幅するリニアアンプと、
前記リミッティングアンプにより増幅された前記信号から前記第１データを検出する第１検出部と、
前記リニアアンプにより増幅された前記信号と前記リミッティングアンプにより増幅された前記信号から前記第２データを検出する第２検出部とを有することを特徴とする伝送システム。
（付記６）  前記第１検出部は、前記リミッティングアンプにより増幅された前記信号のレベルを所定の閾値と比較することにより前記第１データを検出することを特徴とする付記５に記載の伝送システム。
（付記７）  前記分岐部はカレントミラー回路であることを特徴とする付記５または６に記載の伝送システム。
（付記８）  前記分岐部は光スプリッタであることを特徴とする付記５または６に記載の伝送システム。
（付記９）  第１データと前記第１データに重畳された第２データとを含む信号を分岐し、
該分岐された前記信号の１つをリミッティングアンプにより増幅し、
前記分岐された前記信号の他の１つをリニアアンプにより増幅し、
前記リミッティングアンプにより増幅された前記信号から前記第１データを検出し、
前記リニアアンプにより増幅された前記信号と前記リミッティングアンプにより増幅された前記信号から前記第２データを検出することを特徴とするデータ検出方法。
（付記１０）  前記第１データを検出する工程において、前記リミッティングアンプにより増幅された前記信号のレベルを所定の閾値と比較することにより前記第１データを検出することを特徴とする付記９に記載のデータ検出方法。
（付記１１）  前記信号を分岐する工程において、カレントミラー回路により前記信号を分岐することを特徴とする付記９または１０に記載のデータ検出方法。
（付記１２）  前記信号を分岐する工程において、光スプリッタにより前記信号を分岐することを特徴とする付記９または１０に記載のデータ検出方法。
【符号の説明】
【００７７】
１                                       ユーザ側装置
２                                       センタ側装置
１４                                     受信部
４０，４０ａ，４０ｂ                            ＰＤ
４１                                     リニアアンプ
４２，５２                               主信号データ検出部
４６                                     制御データ検出部
５０                                     カレントミラー回路
５３                                     光スプリッタ
【図１】
2018046374.tif 000003
【図２】
2018046374.tif 000004
【図３】
2018046374.tif 000005
【図４】
2018046374.tif 000006
【図５】
2018046374.tif 000007
【図６】
2018046374.tif 000008
【図７】
2018046374.tif 000009